(57)【要約】【課題】本発明は、装置全体を容易に薄型化する。【解決手段】本発明は、光ディスク装置１において、光ディスク３７の記録面に照射するレーザ光を生成するための受発光素子３１及び３３等の電気部品と、当該電気部品に一端側が接続されたフレキシブル配線板４５とが設けられた光ピックアップ１１と、当該光ピックアップ１１を互いに逆向きの一方向及び他方向へ移動可能に保持するピックアップ保持部２０とを設けるようにして、当該フレキシブル配線板４５の他端側を、光ピックアップ１１からピックアップ保持部２０の外側に直接引き出すことにより、光ピックアップ１１から引き出すフレキシブル配線板４５の他端側を当該光ピックアップ１１の上側に引き回さない分、光ピックアップ１１全体を薄型化することができ、かくして装置全体を容易に薄型化することができる。【選択図】図３
2009259311.tif 000002
【特許請求の範囲】
【請求項１】
光ディスクの記録面に照射するレーザ光を生成するための電気部品と、当該電気部品に一端側が接続されたフレキシブル配線板とが設けられた光ピックアップと、
上記光ピックアップを互いに逆向きの一方向及び他方向へ移動可能に保持するピックアップ保持部と
を具え、
上記フレキシブル配線板は、
他端側が上記光ピックアップから上記ピックアップ保持部の外側に直接引き出された
光ディスク装置。
【請求項２】
上記フレキシブル配線板は、
上記他端側が上記光ピックアップから上記ピックアップ保持部の上記外側としての脇に直接引き出された
請求項１に記載の光ディスク装置。
【請求項３】
上記フレキシブル配線板は、
上記ピックアップ保持部の上記脇で上記他端側が、上記一方向に引き回された後、湾曲されて上記他方向へ戻すように引き回された
請求項２に記載の光ディスク装置。
【請求項４】
上記光ディスクを収容するための凹部が形成され、上記ピックアップ保持部の上記脇で引き回された上記フレキシブル配線板の上記他端側に、裏面の所定領域を対向させて配置されたディスク収容部
を具える請求項３に記載の光ディスク装置。
【請求項５】
上記ディスク収容部は、
上記凹部の底面に上記ピックアップ保持部と共に上記光ピックアップを露出させる開口部が形成された
請求項４に記載の光ディスク装置。
【請求項６】
上記ディスク収容部は、
上記凹部の上記底面を、上記光ピックアップの上面と同一平面内に位置させるように配置された
請求項５に記載の光ディスク装置。
【請求項７】
上記ピックアップ保持部の上記脇に配置され、上記フレキシブル配線板の他端が接続される回路基板と、
上記ディスク収容部の上記裏面に設けられ、上記フレキシブル配線板の上記他端側の所定位置を保持する配線板保持部と
を具える請求項６に記載の光ディスク装置。
【発明の詳細な説明】
【技術分野】
【０００１】
本発明は光ディスク装置に関し、例えば、ＣＤ（Compact  Disc）方式及びＤＶＤ（Digital  Versatile  Disc）方式の２種類の光ディスクそれぞれに対して情報を記録及び再生可能な光ディスク装置に適用して好適なものである。
【背景技術】
【０００２】
従来の光ディスク装置は、スピンドルモータ部、光ピックアップ部及びフィード部が搭載されたモジュールベースを有し、当該スピンドルモータ部のターンテーブルに光ディスクを着脱可能に装着し得るようになされている。
【０００３】
また光ディスク装置は、フィード部により光ピックアップ部を、ターンテーブルに装着された光ディスクの内周方向（以下、これをディスク内周方向とも呼ぶ）及び当該光ディスクの外周方向（以下、これをディスク外周方向とも呼ぶ）へ移動させることができる。
【０００４】
さらに光ピックアップ部は、キャリッジに、対物レンズ等の種々の光学素子と、レーザダイオードやフォトディテクタ、ＩＣ（Integrated  Circuit）チップ構成のレーザドライバ等の各種電子部品とが設けられて形成されている。
【０００５】
さらにまた光ピックアップ部には、一端側に各種電子部品が接続された帯状のフレキシブル配線板も設けられ、当該フレキシブル配線板の他端側が、モジュールベースの外部に設けられた回路基板に接続されている。
【０００６】
光ディスク装置は、情報記録時、スピンドルモータ部においてターンテーブルと共に光ディスクを回転させた状態で、回路基板から記録対象の情報に応じた記録信号を、フレキシブル配線板を介して光ピックアップ部のレーザドライバに送出する。
【０００７】
この際、光ディスク装置は、光ピックアップ部においてレーザドライバにより記録信号に基づいてレーザダイオードを駆動制御してレーザ光を発射させると共に、当該発射させたレーザ光を対物レンズに通して集光させて光ディスクの記録面に照射する。
【０００８】
これにより光ディスク装置は、光ディスクの記録面においてレーザ光の照射位置に記録対象の情報を記録していた。
【０００９】
また光ディスク装置は、情報再生時、スピンドルモータ部においてターンテーブルと共に光ディスクを回転させた状態で、回路基板から再生制御信号を、フレキシブル配線板を介して光ピックアップ部のレーザドライバに送出する。
【００１０】
この際、光ディスク装置は、光ピックアップ部においてレーザドライバにより再生制御信号に基づいてレーザダイオードを駆動制御してレーザ光を発射させると共に、当該発射させたレーザ光を対物レンズに通して集光させて光ディスクの記録面に照射する。
【００１１】
そして光ディスク装置は、光ディスクの記録面においてレーザ光が反射して得られる反射光をフォトディテクタで受光して光電変換し、その結果得られた光電信号を、フレキシブル配線板を介して回路基板に送出する。
【００１２】
これにより光ディスク装置は、回路基板において、その光電信号に基づき再生対象の情報に応じた再生信号を生成するようにして、光ディスクの記録面から情報を再生していた（例えば、特許文献１参照）。
【特許文献１】特開平１０−１８８２９７号公報
【発明の開示】
【発明が解決しようとする課題】
【００１３】
ところで、かかる構成の光ディスク装置は、光ピックアップ部においてフレキシブル配線板がキャリッジからディスク外周方向に引き出され、当該光ディスクの情報記録面側に湾曲させてディスク内周方向へ戻すように引き回されている。
【００１４】
また光ディスク装置は、ディスク外周方向から湾曲させてディスク内周方向へ引き回されたフレキシブル配線板が、さらにキャリッジの上側を通ってモジュールベースの外側の回路基板まで引き回されている。
【００１５】
そして光ディスク装置は、フレキシブル配線板の長さが比較的長く選定されており、光ピックアップ部をディスク内周方向へ移動させた場合、フレキシブル配線板の湾曲部分の輪を比較的大きくして弛ませるようにしている。
【００１６】
これにより光ディスク装置は、光ピックアップ部をディスク外周方向へ移動させる場合、フレキシブル配線板の湾曲部分の輪が比較的小さくなるものの折り曲げることなく、当該光ピックアップ部をディスク外周方向へめいっぱい移動させ得るようになされている。
【００１７】
そして、このような光ディスク装置としては、例えば、ノートブック型のコンピュータ装置に搭載されるものがあり、当該コンピュータ装置の薄型化に伴い光ディスク装置も薄型化することが望まれている。
【００１８】
ところが、かかる構成の光ディスク装置は、光ピックアップ部においてキャリッジの上側にフレキシブル配線板が引き回される分、光ピックアップ部全体の厚みが比較的厚くなり、装置全体を容易には薄型化し難いという問題があった。
【００１９】
本発明は以上の点を考慮してなされたもので、装置全体を容易に薄型化し得る光ディスク装置を提案しようとするものである。
【課題を解決するための手段】
【００２０】
かかる課題を解決するため本発明においては、光ディスク装置において、光ディスクの記録面に照射するレーザ光を生成するための電気部品と、当該電気部品に一端側が接続されたフレキシブル配線板とが設けられた光ピックアップと、当該光ピックアップを互いに逆向きの一方向及び他方向へ移動可能に保持するピックアップ保持部とを設けるようにして、当該フレキシブル配線板の他端側を、光ピックアップからピックアップ保持部の外側に直接引き出すようにした。
【００２１】
従って本発明では、光ディスク装置において、光ピックアップから引き出すフレキシブル配線板の他端側を当該光ピックアップの上側に引き回さない分、光ピックアップ全体を薄型化することができる。
【発明の効果】
【００２２】
本発明によれば、光ディスク装置において、光ディスクの記録面に照射するレーザ光を生成するための電気部品と、当該電気部品に一端側が接続されたフレキシブル配線板とが設けられた光ピックアップと、当該光ピックアップを互いに逆向きの一方向及び他方向へ移動可能に保持するピックアップ保持部とを設けるようにして、当該フレキシブル配線板の他端側を、光ピックアップからピックアップ保持部の外側に直接引き出すようにしたことにより、光ピックアップから引き出すフレキシブル配線板の他端側を当該光ピックアップの上側に引き回さない分、光ピックアップ全体を薄型化することができ、かくして装置全体を容易に薄型化し得る光ディスク装置を実現することができる。
【発明を実施するための最良の形態】
【００２３】
以下図面について、本発明の一実施の形態を詳述する。
【００２４】
（１）実施の形態による光ディスク装置の構成
図１及び図２において、１は全体として本発明による光ディスク装置を示す。かかる光ディスク装置１は、例えば、ノートブック型のコンピュータ装置を構成する折畳可能な本体部及び表示部のうち当該本体部に収納されている。
【００２５】
そして光ディスク装置１は、ＣＤ方式及びＤＶＤ方式の２種類の光ディスクそれぞれに対して情報を記録し、また情報を再生し得るようになされている。
【００２６】
この光ディスク装置１は、全体として偏平矩形状の外観を有し、略偏平箱型のトレイ保持部２に、光ディスクを収容するための略偏平矩形状のトレイ３が保持されている。
【００２７】
トレイ保持部２は、長方形状の底面５Ａの１つの短辺、及び互いに平行な２つの長辺それぞれに側壁５Ｂ乃至５Ｄが形成された筐体５を有している。
【００２８】
因みに、以下の説明では、筐体５において唯一側壁のない１辺の縁部を前縁部とも呼び、当該前縁部とは反対側の短辺の側壁５Ｂを、筐体後側壁５Ｂとも呼ぶ。
【００２９】
さらに、以下の説明では、筐体５の２つの長辺の互いに対向する一方及び他方の側壁５Ｃ及び５Ｄのうち、筐体後側壁５Ｂから前縁部を見た場合に右側に位置する一方の側壁５Ｃを筐体右側壁５Ｃとも呼ぶ。
【００３０】
さらに、以下の説明では、筐体５の２つの長辺の互いに対向する一方及び他方の側壁５Ｃ及び５Ｄのうち、筐体後側壁５Ｂから前縁部を見た場合に左側に位置する他方の側壁５Ｄを筐体左側壁５Ｄとも呼ぶ。
【００３１】
さらに、以下の説明では、筐体５において筐体後側壁５Ｂから前縁部へ向かう方向を、後述するように筐体３内からトレイ３を外部に突出させて露出させるための露出方向とも呼ぶ。
【００３２】
さらに、以下の説明では、筐体５において露出方向とは逆の、前縁部から筐体後側壁５Ｂへ向かう方向を、後述するようにトレイ保持部２内にトレイ３を収納するための収納方向とも呼ぶ。
【００３３】
そして、以下の説明では、筐体５の底面５Ａの２つの長辺に沿った露出方向と、これとは逆の収納方向とを特には区別する必要のない場合、当該露出方向及び収納方向をまとめて筐体長手方向とも呼ぶ。
【００３４】
トレイ保持部２の筐体５は、筐体右側壁５Ｃ及び筐体左側壁５Ｄの内側（すなわち、互いに対向する対向面）それぞれに、直線状のレールガイド６及び７が筐体長手方向と平行に取り付けられている。
【００３５】
またレールガイド６及び７には、それぞれ直線状のスライドレール８及び９が、露出方向及び収納方向へスライド可能に取り付けられている。
【００３６】
一方、トレイ３は、略長方形状のトレイ底板１０を有し、当該トレイ底板１０の一面１０Ａに、光ピックアップ１１や、光ディスクを回転駆動する回転駆動部１２等を有するベースユニット１３が配置されている。
【００３７】
またトレイ底板１０の一面１０Ａには、トレイ３の上板となり、光ディスクを収容するための凹部が形成されたディスク収容部１４が、ベースユニット１３を露出させるように設けられている。
【００３８】
因みに、以下の説明では、トレイ３の上板となるディスク収容部１４を、トレイ上板１４とも呼び、当該ディスク収容部１４において、光ディスクを収容するための凹部を、収容凹部とも呼ぶ。
【００３９】
また、以下の説明では、トレイ３において、略長方形状のトレイ底板１０の２つの長辺に沿った互いに逆向きの２方向をまとめてトレイ長手方向とも呼ぶ。
【００４０】
そしてトレイ上板１４は、トレイ長手方向と平行な一方及び他方の側壁１４Ａ及び１４Ｂを筐体長手方向と平行にした状態で、当該一方及び他方の側壁１４Ａ及び１４Ｂがスライドレール８及び９に露出方向及び収納方向へスライド可能に保持されている。
【００４１】
よって光ディスク装置１は、トレイ３を、トレイ保持部２内からレールガイド６及び７並びにスライドレール８及び９を介して露出方向へ移動させて外部（ノートブック型のコンピュータ装置の外部でもある）に露出させることができる。
【００４２】
また光ディスク装置１は、トレイ３を、トレイ保持部２の外部からレールガイド６及び７並びにスライドレール８及び９を介して収納方向へ移動させて当該トレイ保持部２内に収納させることができる。
【００４３】
因みに、以下の説明では、トレイ３において、トレイ保持部２に取り付けられた状態で露出方向側を前側とも呼び、収納方向側を後側とも呼ぶ。
【００４４】
また、以下の説明では、トレイ３において、その後側から前側を見た場合を基準として、トレイ上板１４の一方の側壁１４Ａ側を右側とも呼び、同様にトレイ上板１４の他方の側壁１４Ｂ側を左側とも呼ぶ。
【００４５】
そして、以下の説明では、トレイ上板１４において一方及び他方の側壁１４Ａ及び１４Ｂのうち右側の一方の側壁１４Ａを、上板右側壁１４Ａとも呼び、左側の他方の側壁１４Ｂを、上板左側壁１４Ｂとも呼ぶ。
【００４６】
ところで、図３及び図４に示すように、ベースユニット１３は、上述の光ピックアップ１１を保持すると共に、回転駆動部１２等が取り付けられる略六角形状のピックアップ保持部２０を有している。
【００４７】
ピックアップ保持部２０は、対向する頂点同士を結ぶ３本の仮想の対角線のうち１本の対角線が他の２本の対角線よりも長くなるように、当該１本の対角線に沿って長く形成されている。
【００４８】
またピックアップ保持部２０は、他の２本の対角線よりも長い１本の対角線と平行な２本の一方及び他方の縁部２０Ａ及び２０Ｂの間に、その１本の対角線に沿って光ディスクの半径よりも長い略長方形状の穴部が穿設されている。
【００４９】
因みに、以下の説明では、ピックアップ保持部２０において他の２本の仮想の対角線よりも長い１本の仮想の対角線を基準対角線とも呼ぶ。
【００５０】
また、以下の説明では、ピックアップ保持部２０において基準対角線に沿った互いに逆向きの一方向及び他方向をまとめて保持部長手方向とも呼び、当該保持部長手方向と直交する方向を、保持部直交方向とも呼ぶ。
【００５１】
また、以下の説明では、ピックアップ保持部２において保持部長手方向の一端部及び他端部を保持一端部及び保持他端部とも呼ぶ。
【００５２】
また、以下の説明では、ピックアップ保持部２０において保持一端部の頂点（すなわち、基準対角線の一端が繋がる頂点）を一端部頂点とも呼ぶ。
【００５３】
さらに、以下の説明では、ピックアップ保持部２０において保持他端部の頂点（すなわち、基準対角線の他端が繋がる頂点）を他端部頂点とも呼ぶ。
【００５４】
さらにまた、以下の説明では、ピックアップ保持部２０の保持部直交方向の外側で、一方及び他方の縁部２０Ａ及び２０Ｂに添う位置を、それぞれピックアップ保持部２０の脇とも呼ぶ。
【００５５】
かかるピックアップ保持部２０の保持一端部には、回転駆動部１２が設けられている。この回転駆動部１２は、スピンドルモータ２１を有しており、当該スピンドルモータ２１のモータ本体部２１Ａがピックアップ保持部２０の保持一端部に固定されている。
【００５６】
この場合、スピンドルモータ２１は、モータ出力軸２１Ｂをトレイ底板１０の一面１０Ａに垂直にして、モータ本体部２１Ａをトレイ底板１０の一面１０Ａ側に位置させている。
【００５７】
またスピンドルモータ２１は、モータ出力軸２１Ｂの端部を基準対角線と直交させるようにして、ピックアップ保持部２０の上面２０Ｃよりも上側に突出させている。
【００５８】
さらにスピンドルモータ２１のモータ出力軸２１Ｂの端部には、光ディスクを装着可能なターンテーブル２２が、ピックアップ保持部２０の上面２０Ｃよりも上側に位置させるように取り付けられている。
【００５９】
そして回転駆動部１２は、スピンドルモータ２１を駆動することにより、モータ出力軸２１Ｂと共にターンテーブル２２を回転させ得るようになされている。
【００６０】
またピックアップ保持部２０には、一方の縁部２０Ａの内側に沿わせて、保持一端部から保持他端部に渡る一方のガイド軸２５が保持部長手方向と平行に設けられている。
【００６１】
さらにピックアップ保持部２０には、他方の縁部２０Ｂの内側に沿わせて、保持一端部から保持他端部に渡る他方のガイド軸２６が保持部長手方向と平行に設けられている。
【００６２】
因みに、一方及び他方のガイド軸２５及び２６は、ピックアップ保持部２０の下面よりも下側には位置しないように、当該ピックアップ保持部２０の一方及び他方の縁部２０Ａ及び２０Ｂの間に収められている。
【００６３】
さらにピックアップ保持部２０には、他方の縁部２０Ｂと他方のガイド軸２６との間に、保持一端部から保持他端部に渡るリードスクリュ２７が保持部長手方向と平行な姿勢で回転可能に設けられている。
【００６４】
かかるリードスクリュ２７は、一端部から他端部にかけて表面に螺旋状の溝が形成され、他端にリードギヤ２７Ａが設けられている。
【００６５】
そしてピックアップ保持部２０の保持他端部には、モータ２８と共に１又は複数のギヤ（図示せず）が配置され、そのモータ２８の出力軸が当該１又は複数のギヤを介して、リードスクリュ２７のリードギヤ２７Ａに連結されている。
【００６６】
よってピックアップ保持部２０は、モータ２８が駆動されると、当該モータ２８の出力軸の回転を１又は複数のギヤを介してリードスクリュ２７のリードギヤ２７Ａに伝達する。
【００６７】
これによりピックアップ保持部２０は、モータ２８の出力軸の回転に応じて、リードスクリュ２７を順方向及び逆方向の何れにも回転させ得るようになされている。
【００６８】
ところで、光ピックアップ１１は、略偏平弓形状のピックアップベース３０を有している。因みに、以下の説明では、ピックアップベース３０において互いに平行な一方の側面３０Ａ及び他方の側面３０Ｂを、一方側面３０Ａ及び他方側面３０Ｂとも呼ぶ。
【００６９】
また、以下の説明では、ピックアップベース３０において略円弧状に突出した側面３０Ｃを、突出側面３０Ｃとも呼び、当該突出側面３０Ｃとは反対側の略円弧状に凹んだ側面３０Ｄを、凹み側面３０Ｄとも呼ぶ。
【００７０】
ピックアップベース３０は、その表面において一方側面３０Ａ寄り及び突出側面３０Ｃ寄りにそれぞれ略コ字状の切欠部が形成されている。
【００７１】
そしてピックアップベース３０は、これら切欠部内にＤＶＤ方式のレーザ光用の受発光素子３１及びＣＤ方式のレーザ光用の受発光素子３２が配置されている。
【００７２】
またピックアップベース３０は、その表面において他方側面３０Ｂ寄りに穴部が穿設され、当該穴部内に対物レンズユニット３３が配置されている。
【００７３】
対物レンズユニット３３は、受発光素子３１及び３２によって発射されたレーザ光を集光させるための対物レンズと、当該対物レンズの位置を微調整するアクチュエータとを有している。
【００７４】
因みに、以下の説明では、ピックアップベース３０の表面３０Ｊに形成された切欠部を、それぞれ素子配置用切欠部とも呼び、当該ピックアップベース３０の表面３０Ｊに穿設された穴部を、ユニット配置用穴部とも呼ぶ。
【００７５】
また光ピックアップ１１は、ピックアップベース３０の突出側面３０Ｃから表面を介して一方側面３０Ａ及び他方側面３０Ｂに渡り、比較的薄い金属板により略弓形状に形成されたベースカバー３４が取り付けられている。
【００７６】
ベースカバー３４は、その一面３４Ａの２箇所に切欠部３４Ｂ及び３４Ｃが形成されており、これら切欠部３４Ｂ及び３４Ｃを介して受発光素子３１及び３２を露出させている。
【００７７】
また、ベースカバー３４は、その一面３４Ａに穴部３４Ｄが穿設されており、当該穴部３４Ｄを介して対物レンズユニット３３を露出させている。
【００７８】
因みに、以下の説明では、ベースカバー３４の２箇所の切欠部３４Ｂ及び３４Ｃを、それぞれ素子露出用切欠部３４Ｂ及び３４Ｃとも呼び、当該ベースカバー３４の穴部３４Ｄを、ユニット露出用穴部３４Ｄとも呼ぶ。
【００７９】
ピックアップベース３０において一方側面３０Ａには、略コ字状の軸係合部３０Ｅが設けられ、他方側面３０Ｂには、円形の穴が穿設された２つの軸挿通部３０Ｆ及び３０Ｇが設けられている。
【００８０】
そしてピックアップベース３０は、２つの軸挿通部３０Ｆ及び３０Ｇの穴に他方のガイド軸２６が挿通されている。
【００８１】
またピックアップベース３０の軸係合部３０Ｅは、一方のガイド軸２５をくわえ込むようにして当該一方のガイド軸２５と係合している。
【００８２】
このようにしてピックアップベース３０は、裏面３０Ｈをトレイ底板１０の一面１０Ａに平行に近接させ、かつ表面のベースカバー３４をピックアップ保持部２０の上面２０Ｃよりも上側には突出させないような姿勢でピックアップ保持部２０に保持されている。
【００８３】
これにより光ピックアップ１１は、ピックアップベース３０の姿勢は変えずに一方及び他方のガイド軸２５及び２６に沿って保持部長手方向（すなわち、一方向及び他方向）へ移動し得るようになされている。
【００８４】
すなわち、光ピックアップ１１は、一方向及び他方向として、ピックアップベース３０の凹み側面３０Ｄをスピンドルモータ２１の円形の側面に近接させる方向と、これとは逆の離隔させる方向とへ移動し得るようになされている。
【００８５】
因みに、ベースユニット１３は、スピンドルモータ２１に設けられたターンテーブル２２に光ディスクの中心部が装着される。
【００８６】
このため、ベースユニット１３では、ターンテーブル２２に光ディスクの中心部が装着されていると、光ピックアップ１１をスピンドルモータ２１に近接させる方向が、当該光ピックアップ１１を光ディスクの内周側に移動させる方向となる。
【００８７】
また、ベースユニット１３は、では、ターンテーブル２２に光ディスクの中心部が装着されていると、光ピックアップ１１をスピンドルモータ２１から離隔させる方向が、当該光ピックアップ１１を光ディスクの外周側へ移動させる方向となる。
【００８８】
このため以下の説明では、ターンテーブル２２に対する光ディスクの装着の有無にかかわらずに、光ピックアップ１１をスピンドルモータ２１に近接させる方向を、当該光ピックアップ１１を光ディスクの内周側へ移動させるためのディスク内周方向とも呼ぶ。
【００８９】
また、以下の説明では、ターンテーブル２２に対する光ディスクの装着の有無にかかわらずに、光ピックアップ１１をスピンドルモータ２１から離隔させる方向を、当該光ピックアップ１１を光ディスクの外周側へ移動させるためのディスク外周方向とも呼ぶ。
【００９０】
ところで、ピックアップベース３０は、その裏面３０Ｈにおいて他方側面３０Ｂ寄りの縁部に凹部が形成されている。
【００９１】
そしてピックアップベース３０は、凹部にラック３５の一端部が固定され、当該ラック３５の他端部に形成されたラック歯３５Ａをリードスクリュ２７表面の螺旋状の溝に歯合させている。
【００９２】
これによりピックアップベース３０は、モータ２８の駆動に応じてリードスクリュ２７が順方向及び逆方向に回転した場合、その回転に応じてラック３５のラック歯３５Ａに当該リードスクリュ２７の溝を辿らせることができる。
【００９３】
よって光ピックアップ１１は、モータ２８の駆動に応じてディスク内周方向及びディスク外周方向へ移動することができる。
【００９４】
ところで、ラック３５は、中央部分に他方のガイド軸２６と平行な溝が形成され、当該溝内に他方のガイド軸２６を入り込ませている。
【００９５】
このためラック３５は、その一面をピックアップベース３０の裏面３０Ｈよりもトレイ底板１０の一面１０Ａ側へは突出しないようになされている。
【００９６】
よって光ピックアップ１１は、ピックアップベース３０の裏面３０Ｈを、トレイ底板１０の一面１０Ａに極力近づけた状態でディスク内周方向及びディスク外周方向へ移動し得るようになされている。
【００９７】
ところで光ピックアップ１１は、ディスク内周方向やディスク外形方向へ移動したとき、対物レンズをターンテーブル２２の近傍及び保持他端部の間で基準対角線と一致する軌跡、又は基準対角線と近接して平行な軌跡を辿るようにピックアップ保持部２０に保持されている。
【００９８】
またピックアップ保持部２０は、光ピックアップ１１を移動させる穴部の、保持部長手方向に沿った長さが光ディスクの半径よりも長く選定されている。
【００９９】
よって光ピックアップ１１は、ディスク内周方向やディスク外周方向へ移動すると、ターンテーブル２２に装着されている光ディスクの内周側から外周側までの何れの位置にも、受発光素子３１及び３２により発射させたレーザ光を対物レンズで集光させて照射することができる。
【０１００】
そしてベースユニット１３においてピックアップ保持部２０（図３）は、他端部頂点及び当該他端部頂点を交点とする２辺が、トレイ底板１０の前側の右隅（以下、これを底板前右隅とも呼ぶ）及び当該底板前右隅を交点とする２辺の一部に合せられている。
【０１０１】
またピックアップ保持部２０は、一端部頂点及び当該一端部頂点に繋がる１辺（すなわち、他方の縁部２０Ｂ側の１辺）が、トレイ底板１０の左辺の中央部分（以下、これを底板左辺中央部とも呼ぶ）に合せられている。
【０１０２】
すなわち、ピックアップ保持部２０は、トレイ底板１０の一面１０Ａに対し保持部長手方向（すなわち、ディスク内周方向及びディスク外周方向）をトレイ長手方向と所定角度で交差させるように位置決めされている。
【０１０３】
そしてピックアップ保持部２０（図３）には、一端部頂点、一方の縁部２０Ａの保持他端部寄り、他方の縁部２０Ｂの中央部にそれぞれ平ワッシャ状のねじ係合部２０Ｄ乃至２０Ｆが、当該ピックアップ保持部２０の周囲に突出するように設けられている。
【０１０４】
またトレイ底板１０の一面１０Ａには、ピックアップ保持部２０のねじ係合部２０Ｄ乃至２０Ｆと対向するねじ穴（図示せず）が穿設されている。
【０１０５】
よってピックアップ保持部２０は、ねじ３９がねじ係合部２０Ｄ乃至２０Ｆの穴に通されてトレイ底板１０のねじ穴にねじ込まれることで、当該トレイ底板１０の一面１０Ａに位置決めされた状態で固定されている。
【０１０６】
このようにしてベースユニット１３は、トレイ底板１０の一面１０Ａに取り付けられている。
【０１０７】
これによりベースユニット１３は、トレイ底板１０の底板左辺中央部の近傍に回転駆動部１２を位置させ、当該底板左辺中央部から底板前右隅に向かう方向をディスク外周方向として、当該ディスク外周方向へ光ピックアップ１１を移動させる。
【０１０８】
またベースユニット１３は、トレイ底板１０の底板前右隅から底板左辺中央部に向かう方向をディスク内周方向として、当該ディスク内周方向へ光ピックアップ１１を移動させる。
【０１０９】
ところで図５に示すように、トレイ上板１４は、樹脂材により一体成形され、表面１４Ｃの前後の長さ及び左右の幅が、トレイ底板１０の一面１０Ａの前後の長さ及び左右の幅とほぼ等しくなるように選定されている。
【０１１０】
これによりトレイ上板１４は、その前後左右の辺を、それぞれトレイ底板１０の前後左右の辺に合せるようにして当該トレイ底板１０の一面１０Ａに配置されている。
【０１１１】
またトレイ上板１４の表面１４Ｃには、スピンドルモータ２１のモータ出力軸２１Ｂの端部と対向する位置（すなわち、一点であり、以下、これを軸対向位置とも呼ぶ）ＶＤＣを中心とした円形の収容凹部１４Ｄが形成されている。
【０１１２】
さらにトレイ上板１４の収容凹部１４Ｄ内には、当該トレイ上板１４の前右隅部分の表面１４Ｃとの段差から軸対向位置ＶＤＣ周囲までの部分に、ベースユニット１３を露出させるための穴部１４Ｅが穿設されている。
【０１１３】
因みに、以下の説明では、トレイ上板１４の穴部１４Ｅを、ベース露出穴部１４Ｅとも呼ぶ。
【０１１４】
そしてトレイ上板１４は、収容凹部１４Ｄ内のベース露出穴部１４Ｅにより、ベースユニット１３として、ピックアップ保持部２０の保持一端部並びに一方及び他方の縁部２０Ａ及び２０Ｂをターンテーブル２２及び光ピックアップ１１と共に露出させている。
【０１１５】
またトレイ上板１４は、全体の厚みに対する収容凹部１４Ｄの深さ（すなわち、板左側壁１４Ｂの下端から収容凹部１４Ｄの表面までの高さ）が、トレイ底板１０及びピックアップ保持部２０の厚みに応じて適宜選定されている。
【０１１６】
これによりトレイ上板１４（図１及び図２）は、ベース露出穴部１４Ｅによって露出させるピックアップ保持部２０の一部やターンテーブル２２及び光ピックアップ１１のうち当該ターンテーブル１１のみを収容凹部１４Ｄの底面よりも上側に位置させている。
【０１１７】
実際にトレイ上板１４（図５）では、当該トレイ上板１４の中心位置よりも軸対向位置ＶＤＣが左側にずれている。
【０１１８】
このためトレイ上板１４は、前側の右隅部分から上板右側壁１４Ａを介して後側の右隅部分までが収容凹部１４Ｄよりも一段高い表面１４Ｃとなる。
【０１１９】
またトレイ上板１４は、上板左側壁１４Ｂ寄りがほぼ全体に渡り収容凹部１４Ｄとなって、表面１４Ｃよりも一段低くなっている。
【０１２０】
従ってトレイ上板１４は、光ディスク３７がターンテーブル２２に装着されると、当該光ディスク３７のほとんどを収容凹部１４Ｄ内に収めるものの、一部分については上板左側壁１４Ｂよりも左側にはみ出させている。
【０１２１】
この状態でトレイ上板１４は、光ディスク３７と共にトレイ保持部２に収納され、また当該トレイ保持部２内から押し出されて光ディスク３７と共に外部に露出される。
【０１２２】
これによりトレイ上板１４は、トレイ保持部２から押し出されてターンテーブル２２に対し光ディスク３７が着脱される際、当該光ディスク３７において上板左側壁１４Ｂよりも左側にはみ出す一部分の縁に指をかけさせて、その着脱を行い易くしている。
【０１２３】
次いで、かかる構成の光ディスク装置１に設けられた光ピックアップ１１の構成について詳細に説明する。
【０１２４】
図６に示すように、光ピックアップ１１においてピックアップベース３０は、表面３０Ｊに対し、上述したように受発光素子３１及び３２が配置される素子配置用切欠部３０Ｋ及び３０Ｌが形成されている。
【０１２５】
またピックアップベース３０は、表面３０Ｊに対し、上述したように対物レンズユニット３３が配置されるユニット配置用穴部３０Ｍも形成されている。
【０１２６】
さらにピックアップベース３０は、表面３０Ｊの中央部に凹部３０Ｎが形成され、当該凹部３０Ｎ内にビームスプリッタやコリメータレンズ等の種々の光学素子４０が配置されている。
【０１２７】
因みに、以下の説明では、ピックアップベース３０の凹部３０Ｎを、素子配置用凹部３０Ｎとも呼ぶ。
【０１２８】
そしてピックアップベース３０には、これら受発光素子３１及び３２や対物レンズユニット３３、光学素子４０等が光軸を合せるように位置調整されて配置されている。
【０１２９】
これによりピックアップベース３０では、受発光素子３１によって発射されたレーザ光を光学素子４０に通して対物レンズユニット３３に導き対物レンズ４１により集光させて、表面３０Ｊよりも上側に位置する光ディスク３７の記録面に照射することができる。
【０１３０】
またピックアップベース３０では、この際、光ディスク３７の記録面でレーザ光が反射して得られる反射光を対物レンズ４１に取り込んで対物レンズユニット３３から光学素子４０を介して受発光素子３１に導くようにして受光することもできる。
【０１３１】
またピックアップベース３０では、受発光素子３２によってレーザ光を発射させる場合も、そのレーザ光を、光学素子４０を介して対物レンズユニット３３に導き対物レンズ４１により集光させて光ディスク３７の記録面に照射することができる。
【０１３２】
そしてピックアップベース３０では、この際にも、光ディスク３７の記録面でレーザ光が反射して得られる反射光を対物レンズ４１に取り込んで対物レンズユニット３３から光学素子４０を介して受発光素子３２に導くようにして受光することができる。
【０１３３】
これに加えて図７に示すように、光ピックアップ１１には、フレキシブル配線板４５も設けられている。
【０１３４】
フレキシブル配線板４５は、所定パターンに配線された複数の導電線を２枚の絶縁性フィルムで挟み込むように被覆して全体が極めて薄く形成されており、可撓性を有している。
【０１３５】
実際にフレキシブル配線板４５の一端側は、光ディスクの記録面に照射するレーザ光を生成するための種々の電気部品が電気的に接続される部品接続部４５Ａとして形成されている。
【０１３６】
またフレキシブル配線板４５の他端側は、これら種々の電気部品を、後述するようにトレイ上板１４の裏面に配置された回路基板と電気的に接続するために引き回される引回部４５Ｂとして形成されている。
【０１３７】
フレキシブル配線板４５において部品接続部４５Ａは、ピックアップベース３０の表面３０Ｊの形状に応じた外形を有している。
【０１３８】
そして部品接続部４５Ａには、ピックアップベース３０の素子配置用切欠部３０Ｋ及び３０Ｌ並びにユニット配置用穴部３０Ｍに対応する切欠部４５Ｃ乃至４５Ｅが形成されている。
【０１３９】
また部品接続部４５Ａは、一面４５Ｆの種々の箇所で導電線の端部や途中の一部分が接続端子として露出され、これら接続端子にＩＣ（Integrated  Circuit）チップ構成のレーザドライバ４６や抵抗等の電気部品の端子が電気的に接続されている。
【０１４０】
すなわち、フレキシブル配線板４５の部品接続部４５Ａには、一面４５Ｆにレーザドライバ４６等の種々の電気部品が表面実装されている。
【０１４１】
さらに部品接続部４５Ａには、切欠部４５Ｃ乃至４５Ｅの近傍それぞれに、当該切欠部４５Ｃ乃至４５Ｅを避けるように、例えば数本の導電線部分を分岐させ、これら数本の導電線の端部を接続端子として露出させた分岐配線板４５Ｇ乃至４５Ｉが形成されている。
【０１４２】
一方、フレキシブル配線板４５において引回部４５Ｂは、複数の導電線を所定ピッチに並べるようにして帯状に形成されている。
【０１４３】
また引回部４５Ｂは、端部（すなわち、フレキシブル配線板４５の他端）に、複数の導電線の端部が接続端子として露出されてなる基板接続部４５Ｊが形成されている。
【０１４４】
そして図８に示すように、フレキシブル配線板４５は、部品接続部４５Ａが一面４５Ｆをピックアップベース３０の表面３０Ｊと対向させて当該表面３０Ｊに載置されている。
【０１４５】
またフレキシブル配線板４５は、部品接続部４５Ａと引回部４５Ｂとの境界部分をピックアップベース３０の表面３０Ｊと一方側面３０Ａとの境界部分に位置させて、当該引回部４５Ｂを、ピックアップベース３０の表面３０Ｊよりも外側にはみ出させている。
【０１４６】
ただしフレキシブル配線板４５は、部品接続部４５Ａがピックアップベース３０の表面３０Ｊに載置された際、切欠部４５Ｃ乃至４５Ｅを当該ピックアップベース３０の素子配置用切欠部３０Ｋ及び３０Ｌやユニット配置用穴部３０Ｍに対向させている。
【０１４７】
これによりフレキシブル配線板４５は、部品接続部４５Ａにより、ピックアップベース３０に配置されている受発光素子３１及び３２並びに対物レンズユニット３３を隠蔽しないようになされている。
【０１４８】
またピックアップベース３０（図６）は、表面３０Ｊにおいて、フレキシブル配線板４５に表面実装されているレーザドライバ４６と対向する位置に凹部（以下、これをドライバ配置用凹部とも呼ぶ）３０Ｐが形成されている。
【０１４９】
よってピックアップベース３０は、表面３０Ｊにフレキシブル配線板４５の部品接続部４５Ａが載置されたとき、ドライバ配置用凹部３０Ｐ内にレーザドライバ４６を収容して、当該表面３０Ｊで部品接続部４５Ａを平らにしている。
【０１５０】
この状態でフレキシブル配線板４５は、分岐配線板４５Ｇ乃至４５Ｉの接続端子が、ピックアップベース３０に配置されている電気部品としての受発光素子３１及び３２並びに対物レンズユニット３３のアクチュエータの端子に電気的に接続されている。
【０１５１】
これによりフレキシブル配線板４５は、レーザドライバ４６を、導電線を介して受発光素子３１及び３２と電気的に接続し、当該レーザドライバ４６により受発光素子３１及び３２を記録用及び再生用に駆動させ得るようになされている。
【０１５２】
一方、図９に示すように、ベースカバー３４は、比較的薄い金属板を折り曲げる等して形成され、上述したように一面３４Ａに素子露出用切欠部３４Ｂ及び３４Ｃが形成されていると共に、ユニット露出用穴部３４Ｄが穿設されている。
【０１５３】
またベースカバー３４は、一面３４Ａの素子露出用切欠部３４Ｂ側の縁に、当該一面３４Ａに垂直な平板状の側壁３４Ｅが設けられている。
【０１５４】
さらにベースカバー３４の側壁３４Ｅの下端には、フレキシブル配線板４５の引回部４５Ｂの一部を保持する平板状の配線保持板３４Ｆが、当該下端に対し垂直、かつ一面３４Ａよりも外側に突出するように設けられている。
【０１５５】
すなわち、ベースカバー３４の側壁３４Ｅは、その高さ方向の一端（すなわち、上端）が一面３４Ａの縁につながり、当該高さ方向の他端（すなわち、下端）が配線保持板３４Ｆの端部につながっている。
【０１５６】
そして図１０に示すように、ベースカバー３４は、一面３４Ａの裏側となる他面、及び側壁３４Ｅ内面を、ピックアップベース３０の表面３０Ｊ、及び一方側面３０Ａと対向させるように、当該ピックアップベース３０に取り付けられている。
【０１５７】
これによりベースカバー３４は、その他面とピックアップベース３０の表面３０Ｊとの間にフレキシブル配線板４５の部品接続部４５Ａを挟み込むようにしている。
【０１５８】
またベースカバー３４は、他面と側壁３４Ｅ内面との境界部分で、フレキシブル配線板４５の部品接続部４５Ａと引回部４５Ｂとの境界部分を折り曲げるようにしている。
【０１５９】
これによりベースカバー３４は、側壁３４Ｅ内面とピックアップベース３０の一方側面３０Ａとの間に、フレキシブル配線板４５の引回部４５Ｂの根元部分（すなわち、引回部４５Ｂにおける部品接続部４５Ａとの境界寄りの部分）を挟み込むようにしている。
【０１６０】
さらにフレキシブル配線板４５の引回部４５Ｂは、ベースカバー３４の側壁３４Ｅ内面から配線保持板３４Ｆの裏面に添うように折り曲げられている。
【０１６１】
そしてフレキシブル配線板４５は、引回部４５Ｂにおいて、ベースカバー３４の配線保持板３４Ｆの裏面と対向する部分が、当該配線保持板３４Ｆの裏面に粘着テープ等によって貼着されている。
【０１６２】
因みに、以下の説明では、フレキシブル配線板４５の引回部４５Ｂにおいて、ベースカバー３４の配線保持板３４Ｆの裏面に貼着された部分を、裏面貼着部分とも呼ぶ。
【０１６３】
またベースカバー３４は、一面３４Ａから配線保持板３４Ｆの裏面までの高さが、ピックアップベース３０と、これに載置されたフレキシブル配線板４５との全体の厚みに応じて適宜選定されている。
【０１６４】
これによりベースカバー３４は、ピックアップベース３０に取り付けられた状態で、フレキシブル配線板４５の裏面貼着部分を、当該ピックアップベース３０の裏面３０Ｈよりもトレイ底板１０の一面１０Ａ側には突出させないようになされている。
【０１６５】
ところで図１１に示すように、ピックアップ保持部２０は、ねじ係合部２０Ｄ乃至２０Ｆ各々とトレイ底板１０の一面１０Ａとの間に、振動吸収用の樹脂材で形成された所定の厚みを有する円形の振動吸収板４８を挟み込んで、当該一面１０Ａに固定されている。
【０１６６】
因みに、以下の説明では、ピックアップ保持部２０のねじ係合部２０Ｄ乃至２０Ｆとトレイ底板１０の一面１０Ａとの間に介在された振動吸収板４８を、ダンパ４８とも呼ぶ。
【０１６７】
従ってピックアップ保持部２０は、光ディスク３７の回転やスピンドルモータ２１等の駆動によって発生する振動をダンパ４８に吸収させて、その振動をトレイ底板１０には伝えないようにしている。
【０１６８】
またピックアップ保持部２０は、ねじ係合部２０Ｄ乃至２０Ｆとトレイ底板１０の一面１０Ａとの間に介在しているダンパ４８により、一方及び他方の縁部２０Ａ及び２０Ｂ等と、トレイ底板１０の一面１０Ａとの間にわずかな隙間が形成されている。
【０１６９】
よってフレキシブル配線板４５の引回部４５Ｂは、ベースカバー３４の配線保持板３４Ｆと共にピックアップ保持部２０の一方の縁部２０Ａとトレイ底板１０の一面１０Ａとの隙間に通されて当該ピックアップ保持部２０の脇に引き出されている。
【０１７０】
すなわち、フレキシブル配線板４５の引回部４５Ｂは、光ピックアップ１１からピックアップ保持部２０の脇（すなわち、トレイ上板１４の裏面１４Ｆと対向する位置）に直接引き出されている。
【０１７１】
ここでフレキシブル配線板４５の引回部４５Ｂにおいて基板接続部４５Ｊを除く部分は、光ピックアップ１１から保持部直交方向に沿ってピックアップ保持部２０の脇に引き出された後、一方の縁部２０Ａに添ってトレイ底板１０の後側へ引き回されるように略Ｌ字状に形成されている。
【０１７２】
因みに、以下の説明では、フレキシブル配線板４５の引回部４５Ｂにおいて、ピックアップ保持部２０の脇で保持部長手方向と平行に（すなわち、一方の縁部２０Ａに添って）トレイ底板１０の後側へ引き回される直線状の部分を、外側引回部分４５ＢＸとも呼ぶ。
【０１７３】
またフレキシブル配線板４５の引回部４５Ｂにおいて基板接続部４５Ｊは、保持部直交方向に沿って外側引回部分４５ＢＸよりも一方の縁部２０Ａから離れるように張り出し、各接続端子を保持部長手方向に沿って並べるように形成されている。
【０１７４】
一方、トレイ上板１４の裏面１４Ｆには、その後側において、ピックアップ保持部２０の一方の縁部２０Ａと隣り合い、フレキシブル配線板４５の外側引回部分４５ＢＸの一部を押え込むための領域１４ＦＡを除く位置に回路基板４９が配置されている。
【０１７５】
因みに、以下の説明では、トレイ上板１４の裏面１４Ｆにおいて、ピックアップ保持部２０の一方の縁部２０Ａと隣り合い、フレキシブル配線板４５の外側引回部分４５ＢＸの一部を押え込むための領域１４ＦＡを、配線板押え領域１４ＦＡとも呼ぶ。
【０１７６】
この場合、配線板押え領域１４ＦＡは、保持部長手方向へ長い略長方形の形状を有し、ピックアップ保持部２０の一方の縁部２０Ａの一端からトレイ上板１４の一方の側壁１４Ａまでの長さを有している。
【０１７７】
また、かかる配線板押え領域１４ＦＡは、少なくともフレキシブル配線板４５の外側引回部分４５ＢＸの幅と等しい幅を有しており、当該フレキシブル配線板４５の裏面貼着部分及び外側引回部分４５ＢＸと対向している。
【０１７８】
さらにトレイ上板１４の裏面１４Ｆに配置された回路基板４９には、直方体状のコネクタ５０が、その長手方向を保持部長手方向と平行にし、かつ長方形状の側面に形成された端子を、ピックアップ保持部２０の一方の縁部２０Ａの中央部に向けて実装されている。
【０１７９】
そしてフレキシブル配線板４５の引回部４５Ｂにおいて外側引回部分４５ＢＸは、ピックアップ保持部２０の脇で一旦は保持部長手方向と平行にトレイ底板１０の後側（すなわち、トレイ上板１４の後側でもある）へ引き回される。
【０１８０】
またフレキシブル配線板４５の引回部４５Ｂにおいて外側引回部分４５ＢＸは、引き続きトレイ上板１４の配線板押え領域１４ＦＡ側に湾曲されてトレイ上板１４の一方の側壁１４Ａ側へ戻すように引き回されている。
【０１８１】
そしてフレキシブル配線板４５の引回部４５Ｂは、このように外側引回部分４５ＢＸが湾曲されて引き回された状態で、基板接続部４５Ｊの接続端子がコネクタ５０の端子に電気的に接続されている。
【０１８２】
これにより光ピックアップ１１は、光ディスク３７の記録面に照射するレーザ光を生成するための受発光素子３１及び３２やレーザドライバ４６等の電気部品が、フレキシブル配線板４５及びコネクタ５０を順次介して回路基板４９の回路素子に電気的に接続されている。
【０１８３】
この状態で図１２に示すように、ベースユニット１３は、モータ２８を駆動して光ピックアップ１１をディスク内周方向及びディスク外周方向へ移動させたとき、フレキシブル配線板４５において外側引回部分４５ＢＸの湾曲位置を、保持部長手方向に沿って適宜変位させる。
【０１８４】
これによりベースユニット１３は、光ピックアップ１１の各電気部品と回路基板４５との電気的な接続を維持した状態で、当該光ピックアップ１１をディスク内周方向及びディスク外周方向へ自由に移動させることができる。
【０１８５】
また図１３に示すように、トレイ上板１４は、ベースユニット１３における光ピックアップ１１の移動の有無にかかわらずに、フレキシブル配線板４５の外側引回部分４５ＢＸを配線板押え領域１４ＦＡと対向させている。
【０１８６】
よってトレイ上板１４は、ベースユニット１３における光ピックアップ１１の移動の有無にかかわらずに、フレキシブル配線板４５の外側引回部分４５ＢＸが光ディスク３７の記録面に接触して傷つけることを防止している。
【０１８７】
そしてトレイ上板１４の裏面１４Ｆ（図１１）には、配線板押え領域１４ＦＡの中央部よりも一方の側壁１４Ａ寄りに、略Ｌ字状の配線板保持部５２が設けられている。
【０１８８】
配線板保持部５２は、幅広な保持板５２Ａをトレイ上板１４の裏面１４Ｆから僅かに離して平行にした状態で、当該保持板５２Ａに設けられた足部が、その保持板５２Ａよりも一方の側壁１４Ａ寄りに位置して裏面１４Ｆに植設されている。
【０１８９】
そして配線板保持部５２は、保持板５２Ａとトレイ上板１４の裏面１４Ｆとの間に、フレキシブル配線板４５において外側引回部分４５ＢＸの最も他端寄りの部分が差し込まれている。
【０１９０】
このようにして配線板保持部５２は、保持板５２Ａとトレイ上板１４の裏面１４Ｆとの間にフレキシブル配線板４５を保持している。
【０１９１】
これにより配線板保持部５２は、光ピックアップ１１がディスク内周方向及びディスク外周方向へ移動したときに、フレキシブル配線板４５の基板接続部４５Ｊがコネクタ５０から外れて、ピックアップ保持部２０や回路基板４９の下側に巻き込まれることを防止することができる。
【０１９２】
これに加えてトレイ底板１０（図３）の一面１０Ａには、ピックアップ保持部２０の一方の縁部２０Ａと隣り合い、フレキシブル配線板４５の裏面貼着部分及び外側引回部分４５ＢＸと対向する位置に比較的薄い帯状の保護テープ５５が貼着されている。
【０１９３】
保護テープ５５は、例えば、摩擦抵抗が極力小さいシリコン樹脂により比較的薄い帯状に形成されている。
【０１９４】
また保護テープ５５は、少なくともフレキシブル配線板４５の外側引回部分４５ＢＸの幅以上の幅を有すると共に、ピックアップ保持部２０の一方の縁部２０Ａの一端からねじ係合部２０Ｅの近傍までに亘るような長さを有している。
【０１９５】
すなわちトレイ底板１０は、光ピックアップ１１がディスク内周方向及びディスク外周方向の何れに移動した場合でも、一面１０Ａと、フレキシブル配線板４５の裏面貼着部分及び外側引回部分４５ＢＸとの間に保護テープ５５を介在させている。
【０１９６】
これによりトレイ底板１０は、例えば、ピックアップ保持部２０に対する光ピックアップ１１の取付精度等により、一面１０Ａにフレキシブル配線板４５の裏面貼着部分や外側引回部分４５ＢＸが比較的近づいている場合でも、これらを一面１０Ａに直接は接触させずに保護シート５５に接触させている。
【０１９７】
またトレイ底板１０は、光ピックアップ１１がディスク内周方向及びディスク外周方向に移動したときに、フレキシブル配線板４５の外側引回部分４５ＢＸが弛んでも、当該外側引回部分４５ＢＸを一面１０Ａに直接は接触させずに保護シート５５に接触させている。
【０１９８】
よってトレイ底板１０は、光ピックアップ１１がディスク内周方向及びディスク外周方向の何れに移動したときでも、フレキシブル配線板４５の裏面貼着部分及び外側引回部分４５ＢＸが一面１０Ａに擦り付けられて破損することを未然に回避している。
【０１９９】
またベースカバー３４（図９及び図３）は、配線保持板３４Ｆにおいて略円弧状の縁の中央部に凹み３４ＦＸが形成されている。
【０２００】
さらにフレキシブル配線板４５（図７及び図８並びに図３）は、裏面貼着部分４５ＢＹの略円弧状の縁において、ベースカバー３４の配線保持板３４Ｆに形成された凹み３４ＦＸと対応する位置に凹み４５ＢＺが形成されている。
【０２０１】
すなわち、フレキシブル配線板４５は、凹み４５ＢＺをベースカバー３４の凹み３４ＦＸに合せるようにして裏面貼着部分４５ＢＹが当該ベースカバー３４の配線保持板３４Ｆに貼着されている。
【０２０２】
これによりフレキシブル配線板４５は、ベースカバー３４の配線保持板３４Ｆから裏面貼着部分４５ＢＹをはみ出させないようにしている。
【０２０３】
この状態で光ピックアップ１１は、トレイ底板１０の一面１０Ａを基準としたねじ係合部２０Ｅの下面までの高さよりも低い所定高さ位置で、ベースカバー３４の配線保持板３４Ｆを移動させるようにピックアップ保持部２０に取り付けられている。
【０２０４】
そして光ピックアップ１１は、ディスク外周方向へめいっぱい移動した場合、ベースカバー３４の配線保持板３４Ｆにおいて略円弧状の縁側を僅かにトレイ底板１０の一面１０Ａとねじ係合部２０Ｅとの隙間に入り込ませている。
【０２０５】
ただし光ピックアップ１１は、この際、ベースカバー３４の配線保持板３４Ｆに形成されている凹み３４ＦＸにより、当該配線保持板３４Ｆがトレイ底板１０の一面１０Ａとねじ係合部２０Ｅとの間のダンパ４８に接触しないようにしている。
【０２０６】
これにより光ピックアップ１１は、ディスク外周方向へ移動したときにベースカバー３４の配線保持板３４Ｆが向かう先にダンパ４８が位置しているものの、当該ダンパ４８により移動範囲が制限されることを回避している。
【０２０７】
よって光ピックアップ１１は、フレキシブル配線板４５がトレイ底板１０の一面１０Ａとピックアップ保持部２０の一方の縁部２０Ａとの隙間を通すようにして当該ピックアップ保持部２０の脇に引き出されているものの、規定範囲内で移動することができる。
【０２０８】
ところでトレイ上板１４は、上述したようにベース露出穴部１４Ｅにより、光ピックアップ１１と共にピックアップ保持部２０の保持一端部並びに一方及び他方の縁部２０Ａ及び２０Ｂを露出させている。
【０２０９】
また光ピックアップ１１は、ピックアップベース３０の表面３０Ｊに配置された受発光素子３１及び３２を、ベースカバー３４の素子露出用切欠部３４Ｂ及び３４Ｃによって露出させている。
【０２１０】
よってトレイ上板１４は、情報記録時や情報再生時にターンテーブル２２と共に光ディスク３７が回転すると、その回転によって発生する風を光ピックアップ１１の受発光素子３１及び３２に直接、吹き付けることができる。
【０２１１】
これによりトレイ上板１４は、受発光素子３１及び３２がレーザ光を発射すると、これに応じて発熱するものの、光ディスク３７の回転によって発生する風により、当該受発光素子３１及び３２を冷却することができる。
【０２１２】
また図１４に示すように、ピックアップベース３０は、素子配置用切欠部３０Ｋ及び３０Ｌが受発光素子３１及び３２よりも幅広に形成されている。
【０２１３】
これによりピックアップベース３０は、素子配置用切欠部３０Ｋ及び３０Ｌ内で受発光素子３１及び３２の配置位置を調整させて、当該受発光素子３１及び３２と他の光学素子との光軸を合せることができるようにしている。
【０２１４】
さらにピックアップベース３０は、素子配置用切欠部３０Ｋ及び３０Ｌ内で受発光素子３１及び３２の配置位置が調整された状態で、当該素子配置用切欠部３０Ｋ及び３０Ｌの内面と受発光素子３１及び３２の外壁との隙間に放熱材５６が充填されている。
【０２１５】
かかる放熱材５６は、例えば、接着剤にアルミナが混練されて生成されており、素子配置用切欠部３０Ｋ及び３０Ｌ内に受発光素子３１及び３２を固定し得ると共に、当該受発光素子３１及び３２が発生する熱を吸収して外部に放熱することができる。
【０２１６】
そして光ピックアップ１１は、ピックアップベース３０の素子配置用切欠部３０Ｋ及び３０Ｌ内に充填された放熱材５６に対し、光ディスク３７の回転により発生する風を直接吹き付けさせることにより、当該放熱材５６に効率良く放熱させることができる。
【０２１７】
ところで光ピックアップ１１は、受発光素子３１及び３２を露出させているため、ピックアップベース３０の表面３０Ｊと、ベースカバー３４の他面との間に、受発光素子３１及び３２が発生した熱を逃がすための隙間を設ける必要がない。
【０２１８】
このため光ピックアップ１１は、ピックアップベース３０の表面３０Ｊと、ベースカバー３４の他面とをフレキシブル配線板４５の部品接続部４５Ａを介在させても近接させることができ、その結果、全体の厚みを極力薄くすることができる。
【０２１９】
またベースカバー３４は、フレキシブル配線板４５の部品接続部４５Ａにおいてレーザドライバ４６の実装位置の裏側（すなわち、フレキシブル配線板４５の他面であり、以下、これを実装裏側位置とも呼ぶ）と対向する位置に穴部３４Ｇが穿設されている。
【０２２０】
これによりベースカバー３４は、光ディスク３７が回転した場合、その回転により発生する風を穴部３４Ｇに通してフレキシブル配線板４５の実装裏側位置に吹き付けることができる。
【０２２１】
よってベースカバー３４は、情報記録時や情報再生時にレーザドライバ４６が動作すると発熱するものの、そのレーザドライバ４６からフレキシブル配線板４５の実装位置に伝わる熱を実装裏側位置に吹き付けた風により冷却することができる。
【０２２２】
すなわち、ベースカバー３４は、情報記録時や情報再生時、レーザドライバ４６が発生させる熱を、その熱が伝わるフレキシブル配線板４５を介して効率良く放熱させることができる。
【０２２３】
さらにピックアップベース３０（図６）は、ドライバ配置用凹部３０Ｐの底に複数の穴部３０Ｑが穿設されている。
【０２２４】
これによりピックアップベース３０は、情報記録時や情報再生時、レーザドライバ４６が発生させる熱を複数の穴部３０Ｑを介して外部に放出させて、当該ドライバ配置用凹部３０Ｐ内に熱がこもることも回避することができる。
【０２２５】
さらにまたベースカバー３４（図１４）及びフレキシブル配線板４５の部品接続部４５Ａには、ピックアップベース３０に配置された光学素子４０と対向する位置に穴部３４Ｈが穿設されている。
【０２２６】
よってベースカバー３４及びフレキシブル配線板４５の部品接続部４５Ａは、情報記録時や情報再生時に受発光素子３１及び３２により発射されたレーザ光を受けた光学素子４０が熱をもっても、光ディスク３７の回転により発生する風を、穴部３４Ｈを介して光学素子４０に吹き付けて冷却することができる。
【０２２７】
なお、この実施の形態の場合、上述したようにピックアップ保持部２０に設けられたスピンドルモータ２１やモータ２８等の電気部品も、トレイ上板１４の裏面１４Ｆに配置された回路基板４９に電気的に接続されている。
【０２２８】
そして、かかる回路基板４９は、筐体５（図２）の底面５Ａに配置されたフレキシブルケーブル６０の一端に電気的に接続されている。
【０２２９】
また、かかるフレキシブルケーブル６０の他端は、筐体５（図２）の筐体後側壁５Ｂに取り付けられた外部コネクタ６１に電気的に接続されている。
【０２３０】
そして、かかる外部コネクタ６１は、コンピュータ装置の本体部内に設けられているＣＰＵ（Central  Processing  Unit）のような制御部に電気的に接続されている。
【０２３１】
すなわち、光ピックアップ１１の各電気部品は、フレキシブル配線板４５、回路基板４９、フレキシブルケーブル６０及び外部コネクタ６１を順次介してコンピュータ装置内の制御部に電気的に接続されている。
【０２３２】
よって、ベースユニット１３は、コンピュータ装置内の制御部の制御のもとに光ピックアップ１１の各電気部品や、スピンドルモータ２１及びモータ２８等の電気部品を動作させ得るようになされている。
【０２３３】
（２）実施の形態の動作及び効果
以上の構成において、光ディスク装置１は、光ピックアップ１１のピックアップベース３０に受発光素子３１及び３２等の各種電気部品と共に、フレキシブル配線板４５を設け、当該フレキシブル配線板４５の一端側に、これら各種電気部品を接続する。
【０２３４】
また光ディスク装置１は、ピックアップ保持部２０に対し、その光ピックアップ１１をディスク内周方向及びディスク外周方向へ移動可能に保持する。
【０２３５】
そして光ディスク装置１は、光ピックアップ１１からフレキシブル配線板４５の他端側をピックアップ保持部２０の脇へ直接引き出して、当該ピックアップ保持部２０の外側に配置された回路基板４９に接続する。
【０２３６】
従って光ディスク装置１は、光ピックアップ１１から引き出すフレキシブル配線板４５の他端側を当該光ピックアップ１１の上側に引き回さない分、光ピックアップ１１全体を薄型化することができる。
【０２３７】
以上の構成によれば、光ディスク装置１は、ピックアップ保持部２０に移動可能に保持された光ピックアップ１１からフレキシブル配線板４５を当該ピックアップ保持部２０の脇に直接引き出すようにした。これにより光ディスク装置１は、光ピックアップ１１から引き出すフレキシブル配線板４５の他端側を当該光ピックアップ１１の上側に引き回さない分、光ピックアップ１１全体を薄型化することができる。かくして光ディスク装置１は、光ピックアップ１１全体を薄型化し得る分、装置全体を容易に薄型化することができる。
【０２３８】
また光ディスク装置１は、ピックアップ保持部２０の脇に引き出したフレキシブル配線板４５の他端側を、ピックアップ保持部２０の一方の縁部２０Ａに添わせながら、一旦はディスク内周方向へ引き回した後、湾曲させてディスク外周方向へ戻すように引き回して回路基板４９に接続するようにした。
【０２３９】
従って光ディスク装置１は、フレキシブル配線板４５を、ピックアップ保持部２０の一方の縁部２０Ａの長さ、すなわち、光ピックアップ１１の移動範囲に相当する長さを有する極力短い引回スペース内で引き回すようにしても、光ピックアップ１１の移動に応じて湾曲部分の位置を変位させることができる。
【０２４０】
すなわち、光ディスク装置１は、このように極力短い引回スペース内でフレキシブル配線板４５を引き回すようにしても、光ピックアップ１１をディスク内周方向及びディスク外周方向へ自由に移動させることができる。
【０２４１】
よって光ディスク装置１は、光ピックアップ１１からフレキシブル配線板４５をピックアップ保持部２０の脇に直接引き出すものの、当該フレキシブル配線板４５の引回スペースによって装置全体が大型化することを回避することができる。
【０２４２】
また従来の光ディスク装置であれば、光ピックアップ部からフレキシブル配線板をディスク外周方向へ引き出した後、湾曲させてディスク内周方向へ戻すようにして、そのままベースユニットの外側まで引き回しているため、比較的長いフレキシブル配線板が必要になっていた。
【０２４３】
これに対して光ディスク装置１は、このように光ピックアップ１１の移動範囲に相当する長さを有する極力短い引回スペース内でフレキシブル配線板４５を引き回すことにより、当該フレキシブル配線板４５の長さを従来に比べて大幅に短くすることができる。
【０２４４】
さらに光ディスク装置１は、トレイ上板１４によりピックアップ保持部２０の脇でフレキシブル配線板４５の他端側を押え込み、当該フレキシブル配線板４５の他端側が光ディスク３７の記録面に接触することを防止するようにした。
【０２４５】
すなわち、従来の光ディスク装置であれば、トレイ上板とは別に光ピックアップ部の上側に、フレキシブル配線板を押え込むための保護カバーが設けられる。
【０２４６】
これに対して光ディスク装置１は、トレイ上板１４によりフレキシブル配線板４５を押え込むようにして、当該トレイ上板１４に対し従来の保護カバーの機能も持たせたことで、部品点数を減らして構成を簡易化することができる。
【０２４７】
そして光ディスク装置１は、光ピックアップ１１の上側に、フレキシブル配線板４５を押え込むためにトレイ上板１４を配置する必要がない分、装置全体をさらに薄型化することもできる。
【０２４８】
さらに光ディスク装置１は、トレイ上板１４によりピックアップ保持部２０の脇でフレキシブル配線板４５の他端側を押え込むことにより、当該トレイ上板１４にベース露出穴部１４Ｅを穿設してベースユニット１３を露出させることができる。
【０２４９】
よって光ディスク装置１は、光ディスク３７を回転させたときに、その回転によって発生する風を光ピックアップ１１に吹き付けて、当該光ピックアップ１１に設けられた各種電気部品や光学素子を効率良く冷却することができる。
【０２５０】
さらに光ディスク装置１は、トレイ底板１０の一面１０Ａからトレイ上板１４における収容凹部１４Ｄの底面までの高さを、当該トレイ底板１０の一面１０Ａから光ピックアップ１１の上面（すなわち、ベースカバー３４の一面３４Ａ）までの高さとほぼ同一とした。
【０２５１】
すなわち、光ディスク装置１は、トレイ上板１４における収容凹部１４Ｄの底面を、光ピックアップ１１の上面と同一平面内に位置させるようにした。
【０２５２】
従って光ディスク装置１は、トレイ上板１４の下端から収容凹部１４Ｄの底面までの厚みを薄くすることができる。
【０２５３】
よって光ディスク装置１は、収容凹部１４Ｄの深さを光ディスク３７の厚みに合せるようにしても、トレイ上板１４の下端から表面１４Ｃまでの厚みを、従来の光ディスク装置のトレイ上板に比べて薄くすることができ、装置全体をさらに薄型化することができる。
【０２５４】
これに加えて光ディスク装置１は、トレイ上板１４の裏面１４Ｆにおいて配線板押え領域１４ＦＡ内に配線板保持部５２を設け、当該配線板保持部５２によりフレキシブル配線板４５において外側引回部分４５ＢＸの最も他端寄りの部分を保持するようにした。
【０２５５】
従って光ディスク装置１は、光ピックアップ１１をディスク内周方向及びディスク外周方向へ移動させたときに、フレキシブル配線板４５の基板接続部４５Ｊがコネクタ５０から外れて、ピックアップ保持部２０の下側や回路基板４９の下側に巻き込まれ、その結果、フレキシブル配線板４５が破損することを防止することができる。
【０２５６】
（３）他の実施の形態
（３−１）他の実施の形態１
なお上述した実施の形態においては、光ピックアップ１１からフレキシブル配線板４５の他端側の引回部４５Ｂをピックアップ保持部２０の一方の縁部２０Ａとトレイ底板１０の一面１０Ａとの隙間に通してピックアップ保持部２０の脇に直接引き出すようにした場合について述べた。
【０２５７】
しかしながら本発明はこれに限らず、光ピックアップ１１からフレキシブル配線板４５の他端側の引回部４５Ｂをピックアップ保持部２０の他方の縁部２０Ｂとトレイ底板１０の一面１０Ａとの隙間に通してピックアップ保持部２０の脇に直接引き出すようにしても良い。
【０２５８】
また本発明は、ピックアップ保持部２０の一方又は他方の縁部２０Ａ又は２０Ｂを、その上面がベースカバー３４の一面３４Ａよりも低くなるように形成しておき、光ピックアップ１１からフレキシブル配線板４５の他端側の引回部４５Ｂを当該一方又は他方の縁部２０Ａ又は２０Ｂの上側を通してピックアップ保持部２０の脇に直接引き出すようにしても良い。
【０２５９】
さらに本発明は、光ピックアップ１１からフレキシブル配線板４５の他端側の引回部４５Ｂをピックアップ保持部２０の保持一端部や保持他端部とトレイ底板１０の一面１０Ａとの隙間に通してピックアップ保持部２０の外側に直接引き出すようにしても良い。
【０２６０】
さらに本発明は、ピックアップ保持部２０の保持一端部や保持他端部を、その上面がベースカバー３４の一面３４Ａよりも低くなるように形成しておき、光ピックアップ１１からフレキシブル配線板４５の他端側の引回部４５Ｂを当該保持一端部や保持他端部の上側を通してピックアップ保持部２０の外側に直接引き出すようにしても良い。
【０２６１】
そして、これら種々の構成によっても、光ディスク装置では、光ピックアップ１１の上側にフレキシブル配線板４５を引き回さない分、当該光ピックアップ１１全体を薄型化することができ、上述した実施の形態と同様の効果を得ることができる。
【０２６２】
ところで、光ディスク装置１では、光ピックアップ１１からフレキシブル配線板４５の他端側の引回部４５Ｂを一方又は他方の縁部２０Ａ又は２０Ｂの上側を通してピックアップ保持部２０の脇に直接引き出す場合、トレイ底板１０の一面１０Ａに回路基板を配置して当該フレキシブル配線板４５を接続するようにしても良い。
【０２６３】
また、かかる構成の場合、光ディスク装置１では、トレイ底板１０の一面１０Ａに配線板保持部を設けるようにしても良い。そして、かかる構成によっても、上述した実施の形態と同様の効果を得ることができる。
【０２６４】
（３−２）他の実施の形態２
また上述した実施の形態においては、ピックアップ保持部２０の脇に引き出したフレキシブル配線板４５の他端側を、ピックアップ保持部２０の一方の縁部２０Ａに添わせながら、一旦はディスク内周方向へ引き回した後、湾曲させてディスク外周方向へ戻すように引き回すようにした場合について述べた。
【０２６５】
しかしながら本発明はこれに限らず、ピックアップ保持部２０の脇（一方又は他方の縁部２０Ａ又は２０Ｂの脇）に引き出したフレキシブル配線板４５の他端側を、トレイ底板１０の前側又は後側に引き回す。
【０２６６】
そして本発明は、フレキシブル配線板４５の他端側を、光ピックアップ１１が移動範囲の一端まで移動したときに撓ませ、他端まで移動したときには張るような状態にして回路基板に接続するようにしても良く、かかる構成によっても上述した実施の形態と同様の効果を得ることができる。
【０２６７】
（３−３）他の実施の形態３
さらに上述した実施の形態においては、本発明による光ディスク装置を、図１乃至図１４について上述したノートブック型のコンピュータ装置に設けられる光ディスク装置１に適用するようにした場合について述べた。
【０２６８】
しかしながら本発明はこれに限らず、デスクトップ型のコンピュータ装置に設けられる光ディスク装置や、上述したトレイ保持部２及びトレイ３が偏平矩形状の外装ケースに収納されて形成された光ディスク装置（すなわち、光ディスク装置単体）、１種類の光ディスクに対してのみ情報を記録及び又は再生可能な光ディスク装置、光ディスクに対し情報を記録可能な記録装置や、光ディスクから情報を再生可能な再生装置等のように、この他種々の構成の光ディスク装置に広く適用することができる。
【０２６９】
（３−４）他の実施の形態４
さらに上述した実施の形態においては、光ピックアップに設けられた、光ディスクの記録面に照射するレーザ光を生成するための電気部品として、図１乃至図１４について上述した受発光素子３１及び３２、対物レンズユニット３３のアクチュエータ、レーザドライバ４６を適用するようにした場合について述べた。
【０２７０】
しかしながら本発明はこれに限らず、受発光素子３１及び３２、対物レンズユニット３３のアクチュエータ、レーザドライバ４６の他に、レーザ光の発光強度を監視するためのフロントモニタ回路と呼ばれる強度監視回路や、トランジスタのような能動素子、抵抗及びコンデンサのような受動素子等のように、この他種々の電気回路を広く適用することができる。
【産業上の利用可能性】
【０２７１】
本発明は、コンピュータ装置に設けられる光ディスク装置に利用することができる。
【図面の簡単な説明】
【０２７２】
【図１】本発明による光ディスク装置の全体構成（１）の一実施の形態を示す略線的斜視図である。
【図２】本発明による光ディスク装置の全体構成（２）の一実施の形態を示す略線的斜視図である。
【図３】トレイ底板に対するベースユニットの取り付けの説明に供する略線的斜視図である。
【図４】ベースユニットの構成を示す略線的上面図である。
【図５】トレイ上板の構成を示す略線的斜視図である。
【図６】ピックアップベースの構成を示す略線的斜視図である。
【図７】フレキシブル配線板の構成を示す略線的斜視図である。
【図８】ピックアップベースに対するフレキシブル配線板の取り付けの説明に供する略線的斜視図である。
【図９】ベースカバーの構成を示す略線的斜視図である。
【図１０】光ピックアップの構成を示す略線的斜視図である。
【図１１】フレキシブル配線板の回路基板への接続の説明に供する略線的斜視図である。
【図１２】光ピックアップが移動したときのフレキシブル配線板の説明に供する略線的斜視図である。
【図１３】トレイ上板によるフレキシブル配線板の押えの説明に供する略線的断面図である。
【図１４】受発光素子の放熱の説明に供する略線的斜視図である。
【符号の説明】
【０２７３】
１……光ディスク装置、１０……トレイ底板、１１……光ピックアップ、１２……回転駆動部、１３……ベースユニット、１４……トレイ上板、２０……ピックアップ保持部、３１、３２……受発光素子、３３……対物レンズユニット、４５……フレキシブル配線板、４６……レーザドライバ、４９……回路基板、５２……配線板保持部。
【図１】
2009259311.tif 000003
【図２】
2009259311.tif 000004
【図３】
2009259311.tif 000005
【図４】
2009259311.tif 000006
【図５】
2009259311.tif 000007
【図６】
2009259311.tif 000008
【図７】
2009259311.tif 000009
【図８】
2009259311.tif 000010
【図９】
2009259311.tif 000011
【図１０】
2009259311.tif 000012
【図１１】
2009259311.tif 000013
【図１２】
2009259311.tif 000014
【図１３】
2009259311.tif 000015
【図１４】
2009259311.tif 000016